(57)【要約】 【課題】  表面が平滑な非浸透面への筆記性に優れ、発色性に富んだ筆跡を得られるとともに、長期保管した際に前記筆記性や良好な筆記感を持続可能な固形筆記体を提供すること。【解決手段】着色剤と、ポリグリセリンイソステアリン酸エステルと、オレフィン油と、ジアルキルアルカノイルグルタミドとを少なくとも含んでなる固形筆記体とする。【選択図】  なし【特許請求の範囲】
【請求項１】
着色剤と、ポリグリセリンイソステアリン酸エステルと、オレフィン油と、ジアルキルアルカノイルグルタミドとを少なくとも含んでなる固形筆記体。 
【請求項２】
前記ポリグリセリンイソステアリン酸エステルが、ジグリセリンイソステアリン酸ジエステル、ジグリセリンイソステアリン酸トリエステル、またはトリグリセリンイソステアリン酸ジエステルである、請求項１に記載の固形筆記体。
【請求項３】
前記ジアルキルアルカノイルグルタミドがジブチルアルカノイルグルタミドである、請求項１に記載の固形筆記体。 
【請求項４】
前記オレフィン油が、一分子の炭素数が２０〜４０であって、主鎖に１２〜１６の炭素数を有するαオレフィンである、請求項１に記載の固形筆記体。
【発明の詳細な説明】
【技術分野】
【０００１】
本発明は、固形筆記体に関するものである。さらに詳しくは、非浸透面への筆記性、筆記感、および経時安定性に優れる固形筆記体に関する。
【背景技術】
【０００２】
従来からクレヨン、パステル等の固形筆記体が知られ、扱いが簡便であることから幼児から大人まで幅広い年齢層に利用されている。これらの固形筆記体は、着色剤とワックス、ゲル化剤等の賦形剤の他、溶剤や体質材（体質顔料）を含むことによって、筆記の際、固形筆記体が容易に折損せずに滑らかな筆記感や色鮮やかな筆跡を得ることを可能にしている。（特許文献１〜３）
【０００３】
特許文献１には、顔料と、樹脂と、２種類のワックスと、滑材とを含有する固形描画剤が記載されている。この固形描画剤（固形筆記体）は、樹脂を賦形剤とし、２種類のワックスを用いることによって硬質でありながら描画剤の着色量が良好とされたものである。
【０００４】
しかしながら、樹脂やワックスで構成された固形筆記体は靱性が高く、筆記の際に筆記先端が摩耗しにくいため、これらを用いた特許文献１の従来技術は、緻密で発色性に優れる筆跡が得られにくい欠点があった。特にガラスや樹脂フィルムのような非浸透性を有し、表面が滑らかな筆記面へ筆記する際には、筆記先端が滑って摩耗がより生じにくくなるため、筆記面に十分な固形芯量を定着できず、発色性に優れる筆跡を得ることが一層困難であった。
【０００５】
一方、特許文献２には、着色剤と、特定の有機溶剤と、ゲル化剤と、樹脂成分とを含有するクレヨンが記載されている。前記クレヨンは、高い安全性とともに、筆記面への付着性と筆記性に優れ、更に良好なキャップオフ性能を並立させたものである。
【０００６】
通常、ゲル化剤を賦形剤として用いた固形筆記体は筆記先端が摩耗しやすいものであるため、特許文献２の技術では、平滑な非浸透面への筆記においても十分な固形芯量を定着できるため、発色性の良い筆跡を得ることを可能にしている。
しかしながら、前記固形筆記体（クレヨン）は揮発性の高い有機溶剤を用いているため、長期間保管した際に固形筆記体から有機溶剤が揮散して固形筆記体が収縮、変形し、筆記性や筆記感が低下してしまうことがあった。
【０００７】
また、特許文献３には、顔料と、ゲル化剤と、水溶性有機溶剤及び水とを含む固形描画剤（固形筆記体）が記載されている。前記技術は、筆跡の滲みが少ない固形筆記体としたものであるが、特許文献２の技術と同様に、ゲル化剤を賦形剤として用いているため、平滑な非浸透面への筆記においても十分な固形芯量を定着できるため、発色性の良い筆跡を得ることを可能にしている。
【０００８】
更に、親水性有機溶剤を用いているため、水が蒸発して固形筆記体が収縮変形することをある程度抑制可能としている。しかしながら、高湿度下においては該親水性有機溶剤によって筆記体が吸湿するため、筆記感の悪化や非浸透面への筆記性の低下が生じることがあった。
【先行技術文献】
【特許文献】
【０００９】
【特許文献１】特開２０１１−２５２１３４号公報
【特許文献２】特開平１１−２０９６７９号公報
【特許文献３】特許４３２７５６９号公報
【発明の概要】
【発明が解決しようとする課題】
【００１０】
本発明は、上記の従来技術を鑑みてなされたものであり、表面が平滑な非浸透面への筆記性に優れ、発色性に富んだ筆跡が得られるとともに、長期間保管した場合においても変形や吸湿が生ずることなく、前記筆記性と良好な筆記感を持続可能な固形筆記体を提供するものである。
【課題を解決するための手段】
【００１１】
本発明は上記課題を解決するために、
「１．着色剤と、ポリグリセリンイソステアリン酸エステルと、オレフィン油と、ジアルキルアルカノイルグルタミドとを少なくとも含んでなる固形筆記体。
２．前記ポリグリセリンイソステアリン酸エステルが、ジグリセリンイソステアリン酸ジエステル、ジグリセリンイソステアリン酸トリエステル、またはトリグリセリンイソステアリン酸ジエステルである、第１項に記載の固形筆記体。
３．前記ジアルキルアルカノイルグルタミドがジブチルアルカノイルグルタミドである、第１項に記載の固形筆記体。
４．前記オレフィン油が、一分子の炭素数が２０〜４０であって、主鎖に１２〜１６の炭素数を有するαオレフィンである、第１項に記載の固形筆記体」とする。
【発明の効果】
【００１２】
本発明によれば、表面が平滑な非浸透面への筆記性に優れたものとなるため、発色性に富んだ筆跡が得られるとともに、長期間保管した場合においても変形や吸湿が生ずることなく、前記筆記性と良好な筆記感を持続可能な固形筆記体が提供される。
【発明を実施するための形態】
【００１３】
以下、本発明の実施の形態について、詳細に説明する。なお、本明細書において、配合を示す「部」、「％」、「比」などは特に断らない限り質量基準である。
【００１４】
本発明による固形筆記体（以下、場合により「筆記体」と表すことがある。）は、着色剤と、ポリグリセリンイソステアリン酸エステルと、オレフィン油と、ジアルキルアルカノイルグルタミドとを少なくとも含んでなる。以下、本発明による固形筆記体を構成する各成分について説明する。
【００１５】
（着色剤）
本発明に用いられる着色剤は、従来知られている顔料、染料から任意に選択することができ、いずれも好ましく用いることができる。顔料としては、無機顔料、有機顔料、光輝性顔料、および熱変色性カプセル顔料が挙げられ、より具体的には、無機顔料として、カーボンブラックや酸化チタン、酸化亜鉛、鉄黒、黄色酸化鉄、弁柄、複合酸化物系顔料等の金属酸化物、および群青などが、また有機顔料としてはアゾ系顔料、インジゴ系顔料、フタロシアニン系顔料、キナクリドン系顔料、チオインジゴ系顔料、スレン系顔料、ペリノン系顔料、ペリレン系顔料、フタロン系顔料、ジオキサン系顔料、イソインドリノン系顔料、金属錯体系顔料、メチン・アゾメチン系顔料、ジケトピロロピロール系顔料などが挙げられ、光沢のある光輝性顔料としては、アルミニウム顔料やガラスフレーク顔料などが挙げられる。
また、該顔料を溶媒に分散させ、顔料分散体としたものを用いることも可能である。本発明に用いられる顔料分散体としては、例えば、ＳＰシリーズ（冨士色素株式会社製）、ＳＡＮＤＹＥＳＵＰＥＲＣＯＬＯＵＲシリーズ（山陽色素株式会社製）、ＥＭＡＣＯＬシリーズ（山陽色素株式会社製）、ルミコールシリーズ（日本蛍光化学株式会社製）ＭＩＣＲＯＰＩＧＭＯシリーズ、（オリヱント化学工業株式会社製）、ＷＡシリーズ（大日精化工業株式会社製）などが挙げられる。
なお、前記顔料は、顔料表面が酸化アルミニウム、酸化亜鉛、酸化チタン、および酸化ジルコニウムなどの金属酸化物、二酸化ケイ素などの無機酸化物、および脂肪酸などで被覆処理されたものであってもよい。
染料としては、酸性染料、塩基性染料、直接染料、反応染料、バット染料、硫化染料、含金染料、カチオン染料、分散染料が挙げられる。
【００１６】
前記着色剤は、後述するポリグリセリンイソステアリン酸エステルとオレフィン油とで形成される混合物に対する親和性が高く、分散助剤や溶解助剤を用いることなく着色剤の分散性や溶解性に優れた固形筆記体を形成することが可能である。
このような分散助剤や溶解助剤を用いずに形成された筆記体は、耐光性や筆跡発色性に優れるだけでなく、助剤に由来する、析出等の筆記体の特性を低下させる現象が発生することがないため、経時安定性に対しても優れた特性を有する。
【００１７】
本発明における着色剤の含有量は、固形筆記体の組成物全量に対して０．１〜４０質量％とすることが好ましく、１〜３０質量％とすることがより好ましい。着色剤の含有量を上記範囲内とした場合、良好な発色性を有する筆跡を形成することが可能である。
【００１８】
（ポリグリセリンイソステアリン酸エステル）
本発明の固形筆記体には、ポリグリセリンイソステアリン酸エステルが含まれる。この物質はガラスや樹脂フィルム等の表面が平滑な非浸透面に対する濡れ性が良好な油剤であり、さらに、常温で揮発しにくく、低い吸湿性を有するため、筆記体の非浸透面に対する筆記性を良好とし、筆記体を長期間保管した際、筆記体の変形や吸湿を抑制するものである。
さらにこの油剤は顔料、特には有機顔料およびカーボンブラックや高極性溶剤に溶解しやすい染料に対する高い親和性を有し、界面活性剤等の分散、溶解助剤を用いずともこのような顔料や染料を均一に分散、溶解することができるため、顔料や高極性溶剤に溶解しやすい染料を用いて、筆記性に優れ、経時安定性が良好な筆記体を形成することを容易とするものである。
【００１９】
本発明に用いられるポリグリセリンイソステアリン酸エステルは、下記化学式（１）に示す、ポリグリセリンと、イソステアリン酸とが縮合して生成するエステルである。
2019099657.tif 000002
ここで、ｎは２以上の整数、ＸはＨまたはイソステアロイル基を示す。
【００２０】
前記化学式（１）に示すポリグリセリンイソステアリン酸エステルの中でも、本発明に好ましい物質としては、化学式（１）のｎが２〜３であり、かつＸのいずれかの２つ、または３つがイソステアロイル基である、ジグリセリンイソステアリン酸ジエステル、ジグリセリンイソステアリン酸トリエステル、トリグリセリンイソステアリン酸ジエステル、およびトリグリセリンイソステアリン酸トリエステルであり、中でも、ジグリセリンイソステアリン酸ジエステル、ジグリセリンイソステアリン酸トリエステル、およびトリグリセリンイソステアリン酸ジエステルがより好ましい。最も好ましくは、ジグリセリンイソステアリン酸トリエステルである。
上記ポリグリセリンイソステアリン酸エステルは、構造が異なる複数種を併用することが可能である。
【００２１】
前記ポリグリセリンイソステアリン酸エステルの具体例としては、ＩＳ−２０２Ｐ、阪本薬品工業株式会社製、ＤＧ  ｏｉｌ  ＤＩＳＧ−２、同ＤＩＳＧ−３、同ＤＩＳＧ−３ＨＶ、以上ナショナル美松株式会社製、コスモール４２Ｖ、同４３Ｎ、同４３Ｖ、以上日清オイリオ株式会社製、リソレックスＰＧＩＳ２２、同ＰＧＩＳ３２、以上高級アルコール工業株式会社製、が挙げられる。
【００２２】
前記ポリグリセリンイソステアリン酸エステルはポリエチレンフィルム等の平滑性を有する非浸透面に対する濡れ性がより良好なため、本発明の筆記体により優れた筆記性をもたらすことができる。
【００２３】
本発明の筆記体におけるポリグリセリンイソステアリン酸エステルの含有量は、筆記体の組成物全量に対して２０〜６０質量％とすることが好ましく、３０〜５０質量％とすることがより好ましい。
ポリグリセリンイソステアリン酸エステルの含有量を上記数値範囲内とすると、非浸透面への筆記性に優れる固形筆記体とすることが容易となり、着色剤に顔料を用いる場合には、分散助剤を用いずとも、顔料の分散性を良好として優れた筆記性を有する筆記体としやすい。
【００２４】
（オレフィン油）
本発明の固形筆記体は、さらにオレフィン油を含む。
本発明においてオレフィン油は、低極性物質で形成された、表面が平滑な非浸透面に対する濡れ性が非常に優れる油剤であり、該非浸透面への筆記性をより高める油剤であり、前記ポリグリセリンイソステアリン酸エステルと同様に難揮発性と低吸湿性とを有するため、筆記体の変形や筆記体の吸湿を抑制することができるものである。
また、上記油剤は低極性溶剤に溶解しやすい染料に対する高い親和性を有し、界面活性剤等の溶解助剤を用いずともこのような染料を溶解することができるため、低極性溶剤に溶解しやすい染料を用いて、筆記性に優れ、経時安定性が良好な筆記体を形成することを容易とするものである。
【００２５】
本発明に用いられるオレフィン油は、非浸透面への筆記性を高める効果を有し、低極性溶解しやすい染料を溶解するものであれば限りはなく、直鎖状であっても良く、分岐していても良い。
【００２６】
上記の中でも、本発明に好ましいオレフィン油は、一分子の炭素数が２０〜４０であって、主鎖に１２〜１６の炭素数を有するαオレフィンであり、より好ましくは、一分子の炭素数が２０〜４０であって、主鎖に１２〜１６の炭素数を有し、さらにオクチル基の側鎖を有する、αオレフィンである。
オクチル基の側鎖は複数あっても良く、オクチル基は直鎖状でも分岐していても良い。
このようなオレフィン油は非浸透面への高い濡れ性を有することから、非浸透面への筆記性に優れた筆記体を形成することが容易となる。
これらは複数種を併用することが可能である。
【００２７】
また、オレフィン油の動粘度は、４０℃において２〜１０ｍｍ２／ｓであり、３〜７ｍｍ２／ｓであることがより好ましい。
オレフィン油の動粘度を上記数値範囲とすると、固形筆記体の筆記感を良好とすることが容易となる
、 
【００２８】
上記構造や物性を有するオレフィン油の具体例としては、ＨＳダイマーＡ−２０、同Ａ−２０Ｐ、以上豊国精油株式会社製が挙げられる
本発明に用いられるオレフィン油は、これらに限られるものではない。
【００２９】
本発明の筆記体におけるオレフィン油の含有量は、筆記体の組成物全量に対して１０〜５０質量％であることが好ましく、２０〜４０質量％であることがより好ましい。
オレフィン油の含有量を上記数値範囲内とすると、筆記体強度と筆記感や筆記性とのバランスを良好としやすい。
【００３０】
本発明の固形筆記体においては、オレフィン油は前記ポリグリセリンイソステアリン酸エステルと液体の混合物を形成して存在する。
上記混合物は、樹脂フィルム等の表面が平滑な非浸透面に対する濡れ性が非常に優れるだけでなく、常温で揮発しにくく、吸湿性が低い性質をも有するため、筆記体を該非浸透面への筆記性に優れたものとするだけでなく、長期保管した際の筆記体の変形や吸湿を抑制して、筆記性や筆記感の持続可能とするのである。
【００３１】
また、上記混合物は顔料や高極性溶剤に溶解しやすい染料に対し高い親和性を有する油剤と、低極性溶剤に溶解しやすい染料に対し高い親和性を有する油剤とで構成されているため、顔料や染料の全般に対して高い親和性を有する液体である。そのため、界面活性剤等の分散助剤や溶解助剤を添加しなくとも顔料や染料を均一に分散、溶解させることが可能であり、分散助剤や溶解助剤に由来する、析出等の筆記体の特性を低下させる現象が発生することがなく、発色性に優れる筆跡を形成可能な筆記体とすることが容易になる。
【００３２】
筆記体の非浸透面に対する筆記性および筆記体強度を考慮すると、前記混合物におけるオレフィン油のポリグリセリンイソステアリン酸エステルに対する質量比は、オレフィン油やポリグリセリンイソステアリン酸エステルの含有量を筆記体全量に対して前記数値範囲とした場合において、０．２５倍〜４倍とすることが好ましく、０．６７倍〜１．５倍とすることがより好ましい。
【００３３】
本発明においては、油剤同士の比率を上記数値範囲内とすることによって、着色剤の種類を問わずに、筆記性に優れ、経時安定性がより良好な筆記体を形成することが容易となる。
【００３４】
（ジアルキルアルカノイルグルタミド）
本発明の固形筆記体には、ジアルキルアルカノイルグルタミドが必須である。本発明の固形筆記体においてジアルキルアルカノイルグルタミドは構造骨格を形成し、賦形剤となる物質であり、筆記体は、ジアルキルアルカノイルグルタミド同士が結合することによって形成する緻密な網目状のネットワークを骨格とし、着色剤や前記ポリグリセリンイソステアリン酸エステルとオレフィン油との混合物をその網目の中に含んだ構造を有している。
ジアルキルアルカノイルグルタミドは下記化学式（２）に示す物質である。
2019099657.tif 000003
ここで、Ｒ１、Ｒ２、Ｒ３はアルキル基を示す。
【００３５】
前記ジアルキルアルカノイルグルタミドを骨格とした構造を有する筆記体は、高い平滑性を有する非浸透面に筆記した場合においても、被筆記面との摩擦によって摩擦面の構造が容易に崩れて濡れ性に優れる油剤混合物や着色剤を放出することができるため、筆記カスの発生を抑えて発色性に優れる筆跡を形成することが可能であるとともに、滑らかで良好な筆記感を奏することが可能となる。
この良好な筆記感は、前記ポリグリセリンイソステアリン酸エステルとオレフィン油との液体混合物が筆記の際に潤滑剤として作用することでさらに向上するため、本発明の固形筆記体は非常に優れた筆記感を得られるのである。
【００３６】
本発明の固形筆記体に含まれるジアルキルアルカノイルグルタミドは、上述の、着色剤や油剤混合物を含んだ構造を形成する物質であれば特に限りはないが、好ましくは、下記化学式（３）に示すジブチルアルカノイルグルタミドである。
2019099657.tif 000004
ここで、Ｒ１はアルキル基を示す。
【００３７】
前記ジアルキルアルカノイルグルタミドを用いることによって、発色性に優れた筆跡を形成でき、さらに良好な筆記感を有する筆記体とすることが容易となる。特に、アルカノイル基の炭素数が８〜１２であるジブチルアルカノイルグルタミドは前記筆跡形成性や筆記感をより良化するため特に好ましい。
【００３８】
前記ジブチルアルカノイルグルタミドの具体例としては、ジブチルオクタノイルグルタミド、ジブチルノナノイルグルタミド、ジブチルデカノイルグルタミド、ジブチルウンデカノイルグルタミド、ジブチルラウロイルグルタミドを挙げることができ、アルカノイル基に含まれる炭素鎖は直鎖であっても良く、分岐していても良い。これらは１種または２種以上を用いることが可能である。
上記ジブチルアルカノイルグルタミドを用いると筆記体の透明性を高めることができるため、さらに着色剤として染料を用いた場合、色鮮やかで透明な筆記体を得ることができる。このような筆記体は被筆記部分を隠蔽することのない透明な筆跡を形成できるため、アンダーライン用の固形筆記体として好ましく用いることができる。
【００３９】
本発明に用いられるジアルキルアルカノイルグルタミドの含有量は、固形筆記体の組成物全量に対して１〜３０質量％であることが好ましく、５〜２５質量％であることがより好ましく、１０〜２０％であることが特に好ましい。含有量を上記数値範囲内とすることで、筆記の際に損壊しにくい強度としながらも、良好な筆記感を奏する筆記体とすることが容易となる。
【００４０】
本発明の固形筆記体は、上述の通り、ポリグリセリンイソステアリン酸エステルと、オレフィン油と、ジアルキルアルカノイルグルタミドとを含むことにより、筆記の際に損壊しにくい芯体強度を有しつつも良好な筆記感と表面が平滑な非浸透面への優れた筆記性を有し、発色性に富んだ筆跡を形成可能であり、長期保管した際においても吸湿や変形を生じることなく優れた筆記感や筆記性を維持可能な筆記体とすることができるので、これらの物質を組み合わせることが重要である。
【００４１】
（その他）
本発明の固形筆記体は、必要に応じて上記以外の物質を添加することも可能である。具体的には、水、メタノール、エタノール、１−プロパノール、２−プロパノール、ブタノール、エチレングリコール、ジエチレングリコール、トリエチレングリコール、ポリエチレングリコール、プロピレングリコール、ジプロピレングリコール、トリプロピレングリコール、ポリプロピレングリコール、グリセリン、ジグリセリン、およびポリグリセリンなどのアルコールまたはグリコール、カオリン、タルク、マイカ、クレー、ベントナイト、炭酸カルシウム、水酸化アルミニウム、セリサイト、およびチタン酸カリウムなどの体質材、ポリオレフィン樹脂、アクリル樹脂、ナイロン樹脂、シリコーン樹脂、ウレタン樹脂、およびフッ素樹脂などからなる樹脂粒子、アクリル樹脂、ウレタン樹脂、スチレン−ブタジエン系樹脂、アルキッド樹脂、スルフォアミド樹脂、マレイン酸樹脂、ポリ酢酸ビニル樹脂、エチレン酢ビ樹脂、塩ビ−酢ビ樹脂、スチレンとマレイン酸エステルとの共重合体、スチレン−アクリロニトリル樹脂、シアネート変性ポリアルキレングリコール、エステルガム、キシレン樹脂、尿素樹脂、尿素アルデヒド樹脂、フェノール樹脂、アルキルフェノール樹脂、テルペンフェノール樹脂、ロジン系樹脂やその水添化合物、ロジンフェノール樹脂、ポリビニルアルキルエーテル、ポリアミド樹脂、ポリオレフィン樹脂、ナイロン樹脂、ポリエステル樹脂、シクロヘキサノン系樹脂などの定着剤、ｐＨ調整剤、防腐剤、消泡剤、粘度調整剤、ベンゾトリアゾール、トリルトリアゾール、ジシクロヘキシルアンモニウムナイトライト、ジイソプロピルアンモニウムナイトライト、およびサポニンなどの防錆剤、尿素、アニオン、カチオン系、ノニオン系、両性等の各種界面活性剤、ポリビニルアルコール、ポリビニルピロリドンなどの水溶性樹脂からなる顔料分散剤、還元又は非還元デンプン加水分解物、トレハロース等の二糖類、オリゴ糖、ショ糖、サイクロデキストリン、ぶどう糖、デキストリン、ソルビット、マンニット、およびピロリン酸ナトリウムなどの湿潤剤を挙げることができる。
本発明の固形筆記体は上記物質を含むことによって、筆記体の強度、定着性、非浸透面への筆記性、筆記感等を調整することが可能である。
【００４２】
本発明の固形筆記体の作製方法の一例を以下に示す。加熱下、ポリグリセリンイソステアリン酸エステルとオレフィン油とジアルキルアルカノイルグルタミドを撹拌し、ジアルキルアルカノイルグルタミドが溶解した後、着色剤を加え、均一に混合させる。その後、混合物を所定の型に流しこみ、室温で放冷する。固化した固形筆記体を取り出すことにより、固形筆記体を得ることができる。
【実施例】
【００４３】
（実施例１）
下記原材料および配合量にて、１２０℃下で１時間攪拌混合し、所定の型に流し込み、室温に放冷することで固体物（外径１０ｍｍの円柱）を得た。
・着色剤          ピグメントブラック７                        ８．０質量％
（顔料、商品名：カーボンブラックＭＡ６００、三菱化学株式会社製）
・ジグリセリンイソステアリン酸トリエステル                  ５０．０質量％
（ポリグリセリンイソステアリン酸エステル、商品名：コスモール４３Ｖ、日清製油株式会社製）
・オレフィン油                                              ２２．０質量％
（２−オクチル−１−ドデセン、２，４−ジオクチル−１−テトラデセン、および、２，４，６−トリオクチル−１−ヘキサデセンの混合物、商品名：ＨＳダイマー  Ａ−２０Ｐ、豊国精油株式会社製）
・ジブチルラウロイルグルタミド                              ２０．０質量％
（ジアルキルアルカノイルグルタミド、商品名：ＧＰ−１、味の素ヘルシーサプライ株式会社製）
【００４４】
（実施例２〜１１、比較例１〜６）
実施例１に対して、配合する成分の種類や添加量を表１に示したとおりに変更して、実施例２〜１１、比較例１〜６の固形物を得た。
上記実施例で使用した材料の詳細は以下の通りである。
・着色剤（１）ピグメントブラック７（顔料、商品名：カーボンブラックＭＡ６００、三菱化学株式会社製）
・着色剤（２）ＯＩＬ  ＰＩＮＫ３１２（染料、オリヱント化学工業株式会社製）
・ポリグリセリンイソステアリン酸エステル（１）
（ジグリセリンイソステアリン酸トリエステル、商品名：コスモール４３Ｖ、日清製油株式会社製）
・ポリグリセリンイソステアリン酸エステル（２）
（ジグリセリンイソステアリン酸ジエステル、商品名：コスモール４２Ｖ、日清製油株式会社製）
・ポリグリセリンイソステアリン酸エステル（３）
（トリグリセリンイソステアリン酸ジエステル、商品名：ＤＧ  ｏｉｌ  ＤＩＳＧ−３、ナショナル美松株式会社製）
・２−エチルヘキサン酸セチル
（商品名：サラコス８１６Ｔ、日清製油株式会社製）
・テトラエチルヘキサン酸ペンタエリスリチル
（商品名：サラコス５４０８、日清製油株式会社製）
・オレフィン油（１）
（２−オクチル−１−ドデセン、２，４−ジオクチル−１−テトラデセン、および、２，４，６−トリオクチル−１−ヘキサデセンの混合物、商品名：ＨＳダイマー  Ａ−２０Ｐ、豊国精油株式会社製）
・オレフィン油（２）
（２−オクチル−１−ドデセン、商品名：ＨＳダイマー  Ａ−２０、豊国精油株式会社製）
・ジアルキルアルカノイルグルタミド（１）
ジブチルラウロイルグルタミド（商品名：ＧＰ−１、味の素ケミカルフーズ株式会社製）
・ジアルキルアルカノイルグルタミド（２）
ジブチルエチルヘキシルグルタミド（（商品名：ＥＢ−２１、味の素ケミカルフーズ株式会社製）
・１，３：２，４−ビス−Ｏ−（４−メチルベンジリデン）−Ｄ−ソルビトール
（商品名：ゲルオールＭＤ−ＬＭ３０Ｇ、新日本理化工業株式会社製）
・パラフィンワックス
（商品名：Ｐａｒａｆｆｉｎ−ＷＡＸ１２５、日本精蝋株式会社）
・キャンデリラワックス
（商品名：ＮＣ−１６３０、株式会社セラリカＮＯＤＡ製）
【００４５】
【表１】
2019099657.tif 000005
【００４６】
調製した固形筆記体について、下記の通り、評価を行った。得られた結果は表２に記載したとおりであった。
【００４７】
（筆記性の評価）
実施例１〜１１、及び比較例１〜６で作製した固形筆記体を用いてポリプロピレン製フィルム（商品名ＯＰＰフラワーシート＃４０、オーセロ株式会社製）に筆記を行い、その際の筆跡の発色性を目視により観察した。
Ａ：筆跡に色ムラが無く、鮮明である。筆記カスの発生は僅かである。
Ｂ：筆跡に若干色ムラがあり、筆記カスが発生するが、実用上問題なし。
Ｃ：筆跡に色ムラがあり、濃度が薄い。筆記カスの発生が顕著であり、実用上懸念がある。
【００４８】
（筆記感の評価）
上記固形筆記体により、筆記試験用紙に筆記を行った。手書きによる官能試験を行い評価した。なお、筆記用紙はコピー用紙（商品名；キャンパスレポート箋Ａ４Ａ罫、コクヨ株式会社製）を用いた。
Ａ：非常に滑らか
Ｃ：引っかかりがあり、重い。
【００４９】
（経時安定性）
固形筆記体を４０℃、湿度１０％ＲＨ下に１２０時間放置し、固形筆記体の形状、筆跡発色性、および筆記感を評価した。
Ａ：試験前後で形状、筆跡発色性、および筆記感に差はなく、筆跡発色性および筆記感
は良好である。
Ｂ：筆記体が収縮、膨張するなど、形状の変化が確認される。筆跡発色性および筆記感は若干低下したものの、実用上問題ないレベルである。
Ｃ：筆記体の形状が著しく変化している。筆跡発色性および筆記感は悪化しており、実用上懸念がある。
【００５０】
試験結果を以下の表に記す。
【００５１】
【表２】
2019099657.tif 000006
比較例３〜５は、製作不可のため評価不能。
比較例６は実用上の強度を有していないため、評価不能。